(57)【特許請求の範囲】
【請求項１】
インストール可能なルーチンをサポートするための拡張層（MEXE）を含む移動ステーション（MS）が移動通信システムに接続され、該システムが次いでインテリジェントネットワークに接続されたときに、インテリジェントネットワークノード（SCP）に配置されたマネージメントアプリケーションにより移動ステーションのユーザインターフェイスを経てインテリジェントネットワークサービスを構成する方法において、
当該インテリジェントネットワークサービスの構成ルーチンを移動ステーションにロードし、
拡張層（MEXE）及び／又はそれに接続された構成ルーチンは、インテリジェントネットワークサービスを構成するための入力（4-3a）を受け取り、その入力に基づいて構成情報を発生し、そしてその情報を構成メッセージ（3,4-3d）において移動通信システムのネットワーク要素（MSC,SGSN,GGSN）を経て上記インテリジェントネットワークノード（SCP）へ送信し、
上記インテリジェントネットワークノード（SCP）は、上記構成メッセージ（3,4-3d）に含まれた構成情報を解釈し、そしてインテリジェントネットワークサービスを構成し、
上記構成メッセージを送信する前に、上記移動ステーションは、構成情報問合せを上記インテリジェントネットワークノードへ送信することを特徴とする方法。
【請求項２】
上記構成ルーチンは、上記構成情報問合せ（1,4-1d）の前に移動ステーションに完全にインストールされる請求項１に記載の方法。
【請求項３】
上記構成ルーチンは、上記構成情報問合せ（1,4-1d）の前に移動ステーションに一部分のみインストールされるか又は全くインストールされず、そして上記ネットワーク（MSC,SCP）は、上記構成情報問合せに対する応答として構成ルーチン又は構成ルーチンの少なくとも欠落部分を送信する請求項１に記載の方法。
【請求項４】
上記ネットワーク（MSC,SCP）は、上記構成ルーチン又はその欠落部分を、移動ステーションにより要求された場合だけ送信する請求項３に記載の方法。
【請求項５】
移動通信システムのネットワーク要素（MSC,SGSN,GGSN）は、構成メッセージ（3,4-3d）を確認し、そして少なくともその本質的な部分を上記インテリジェントネットワークノード（SCP）へ送信する請求項１ないし４のいずれかに記載の方法。
【請求項６】
移動ステーション（MS）と移動通信システムのネットワーク要素（MSC）との間のメッセージは、移動ステーションと上記移動通信システムの要素との間のネットワーク部分に対して透過的であり、そして移動通信システムのネットワーク要素は、アップ方向及びダウン方向メッセージを確認し、そしてそれらメッセージの本質的な部分をインテリジェントネットワークノード（SCP）又は移動ステーション（MS）へ対応的に転送する請求項１ないし５のいずれかに記載の方法。
【請求項７】
移動通信システムのネットワーク要素（MSC）は、メッセージがインテリジェントネットワークサービスの識別子（21）を含むと共に、好ましくは、通常のテキストには滅多に現われない特殊なキャラクタ（22）を含むことに基づいて、メッセージが構成メッセージであることを確認する請求項６に記載の方法。
【請求項８】
移動通信システムのネットワーク要素（MSC）は、移動ステーションが、インテリジェントネットワークサービスに割り当てられた電話番号にメッセージを送信することに基づいて、メッセージが構成メッセージであることを確認する請求項６に記載の方法。
【請求項９】
インテリジェントネットワークサービスの変化に関連して、インテリジェントネットワークノード（SCP）は、移動ステーション（MS）へ通知を自動的に送信する請求項１ないし８のいずれかに記載の方法。
【請求項１０】
インテリジェントネットワークサービスの変化に関連して、インテリジェントネットワークノード（SCP）は、移動ステーション（MS）に対し新たな構成ルーチンのロードを自動的にアクチベートする請求項１ないし９のいずれかに記載の方法。
【請求項１１】
移動ステーション（MS）と移動通信システムのネットワーク要素（MSC）との間のメッセージは、ショートメッセージ又はＵＳＳＤメッセージのようなデータメッセージである請求項１ないし１０に記載の方法。
【請求項１２】
インストールされるべきルーチンをサポートするための拡張層（MEXE）を含む移動ステーション（MS）において、
移動ステーションは、インテリジェントネットワークサービスの構成ルーチンを含み、このルーチンは、インテリジェントネットワークサービスを構成するための入力（4-3a）を拡張層（MEXE）に与え、
上記入力に対する応答として、移動ステーションは、移動電話ネットワーク（NNS,BSS）を経てインテリジェントネットワークノードへ構成メッセージにおいて構成情報（3,4-3d）を送信し、
上記構成メッセージを送信する前に、構成情報問合せを上記インテリジェントネットワークノードへ送信することを特徴とする移動ステーション。
【請求項１３】
移動ステーション（MS）が、インストール可能なルーチンをサポートするための拡張層（MEXE）を含むときに、インテリジェントネットワークノード（SCP）により制御されるインテリジェントネットワークサービスを、移動ステーション（MS）のユーザインターフェイスを経て構成するためのシステムにおいて、
移動ステーションは、インテリジェントネットワークサービスの構成ルーチンを含み、このルーチンは、インテリジェントネットワークサービスを構成するための入力（4-3a）を拡張層（MEXE）に与え、
上記入力に対する応答として、移動ステーション（MS）は、移動通信システムのネットワーク要素（MSC,SGSN,GGSN）を経てインテリジェントネットワークノード（SCP）へ構成メッセージにおいて構成情報（3,4-3d）を送信し、そして
インテリジェントネットワークノード（SCP）は、上記構成メッセージ（3,4-3d）に含まれた構成情報を解釈して、その構成情報に基づいてインテリジェントネットワークサービスを構成し、
上記構成メッセージを送信する前に、移動ステーションは、構成情報問合せをインテリジェントネットワークノードへ送信することを特徴とするシステム。
【発明の詳細な説明】
発明の分野
本発明は、移動ステーションのユーザインターフェイスを経てのインテリジェントネットワークサービスの構成（コンフィギュレーション）に係る。
先行技術の説明
公知技術においては、移動ステーションに与えられるインテリジェントネットワークサービスは、ユーザによるダイヤル操作に対する応答として、移動ステーションがデュアルトーンマルチ周波数（ＤＴＭＦ）音を送信し、これが受信側の移動交換機によって解釈されるように構成される。例えば、番号１２３４５６へのコール転送は、キャラクタストリング＊２１＊＃１２３４５６＃をダイヤルすることにより実行することができる。このキャラクタストリングは、若干複雑であるが、非常に簡単なサービスを構成するのにしか使用できず、上記例では、コールが所与の固定番号へ無条件に転送される。キーパッドから送られる特殊なキャラクタは、コールがオフィス時間中に先ずオフィスの電話へ５秒間試みられ、次いで、移動電話へ８秒間試みられ、これも失敗に終わった場合には、コールが音声メールサービスへ転送されるという到達可能型プロファイルのようなサービスを構成するように使用することは非常に困難である。オフィス時間以外では、コールは、先ず、家庭の電話へ試みられる。
従って、上記構成における問題は、移動ステーションのユーザインターフェイスから不当に長い番号ストリングを入力しなければならないことである。これは、長時間を要すると共に、ユーザから高い正確さを要求する。インテリジェントネットワークサービスの構成は、「時間、分で時刻をダイヤルしそしてハッシュキーを押す」又は「電話番号をダイヤルしそしてハッシュキーを押す」といった可聴プロンプトを発生することによりユーザにとって容易なものとすることができる。この技術における問題は、例えば、サービスの全構成時間に無線接続を割り当てねばならないことである。
発明の要旨
従って、本発明の目的は、上記問題を解消する方法、及びこの方法を実施する装置を提供することである。本発明の目的は、独立請求項に記載された方法及び装置によって達成される。本発明の好ましい実施形態は、従属請求項に記載する。
本発明は、一方では、移動電話に当該インテリジェントネットワークサービスの構成ルーチン又は構成ルーチンの少なくとも一部分をロードするという考え方をベースとする。構成ルーチンを実行する特に効果的な機構は、推奨勧告ＥＴＳＩ（ヨーロピアン・テレコミュニケーション・スタンダード・インスティテュート）０２．５７に規定された移動ステーション実行環境（ＭＥＸＥ）として知られた移動ステーション機能の拡張である。本発明については、電話がＭＥＸＥ型の拡張層を備え、即ち移動ステーションのユーザインターフェイス及び無線装置の両方に向かうインターフェイスを含むソフトウェア実行環境を備えていることが重要である。２つのインターフェイスは、移動ステーションの基本的な機能によって実行され、従って、ＭＥＸＥは、低いマシン指向レベルで機能する必要はない。以下、ＭＥＸＥ型機能は、「拡張層」と称する。
本発明は、他方では、移動ステーションのＭＥＸＥ型（又は同等）の拡張層を用いて、インテリジェントネットワークサービスを構成するという考え方をベースとする。拡張層は、構成ルーチンにより、インテリジェントネットワークサービスを構成する入力を受け取る。移動ステーションの拡張層及び／又は構成ルーチンは、人間指向の表示と機械指向の表示との間で構成情報を変換する。移動ステーションは、構成情報を構成メッセージにおいて移動サービス交換センターへ送信する。移動サービス交換センターは、この構成情報を確認し、そしてその少なくとも重要な部分をサービス制御ポイントへ送信し、サービス制御ポイントは、構成メッセージに含まれた構成情報を解釈し、そしてインテリジェントネットワークサービスを構成する。
構成は、移動ステーションからアクチベートすることができる。移動ステーションのユーザがインテリジェントネットワークサービスの構成を変更したいこともあるし、或いは移動ステーションが、例えば、位置更新又は時刻に応答して、構成を独立してアクチベートすることもある。
構成メッセージの前に、移動ステーションは、ネットワークから現在の構成情報をロードするために構成情報問い合わせを送信する。構成ルーチンは、インテリジェントネットワークサービスがオペレータ又はサービスプロバイダーから契約されたとき、即ちインテリジェントネットワークサービスの構成の前に、移動ステーション（ＭＥＸＥ拡張層）に完全にインストールすることができる。或いは又、構成ルーチンは、構成メッセージを送信する前に移動ステーションに部分的にのみインストールし（又は全くインストールせず）、そしてネットワークが、構成情報問合せに対する応答として、構成ルーチン又はそのルーチンの少なくとも欠落部分を送信することもできる。構成ルーチンは、回路交換又はパケット交換接続或いはデータメッセージ（ショートメッセージ／ＵＳＳＤ）を使用することによりロードすることができる。又、構成ルーチンは、適当なプログラミングデバイスを使用することにより移動ステーションのメモリ又はＳＩＭカードにロードすることもできる。構成ルーチンは、移動ステーションのユーザインターフェイスに接続され、そしてユーザは、ユーザインターフェイスの変化により構成の存在を検出する。
又、移動ステーションは、使用する最新の構成ルーチンの幾つかを記憶することもでき、この場合、ネットワークは、移動ステーションにより要求された場合にのみ、構成ルーチン又はそのルーチンの欠落部分を送信する。要求された構成ルーチン（及びおそらく現在の構成情報）が移動ステーションのメモリに記憶されている場合には、第１の構成事象に接続するまで構成情報を問合せする必要がない。次の及びその後の機会に、構成メッセージは充分なものとなる。
インテリジェントネットワークサービスの現在構成情報が加入者ステーションのメモリに記憶されていない場合には、構成情報問合せに対する応答が現在構成情報を含み、そしてこの情報が移動ステーションのユーザインターフェイスを経て移動ステーションのユーザへ与えられるのが好ましい。この場合に、ユーザは、何もないところから構成をスタートする必要はない。構成ルーチンは、移動ステーションのユーザインターフェイスを経て構成情報の変化を受け取り、そしてその変化した構成情報を構成メッセージにおいてネットワークへ送信することができる。無線リソースを節約するために、なされた変化のみをネットワークに送信することができる。
構成メッセージを送信する前に構成ルーチンが移動ステーションにインストールされる場合には、ユーザは、移動ステーションのユーザインターフェイスを経て構成ルーチンをアクチベートすることができ、構成ルーチンは、構成メッセージを送信するよう移動ステーションに指令する。構成ルーチンが構成メッセージを自動的に発生してもよい。構成メッセージを送信する前に構成ルーチンが移動ステーションにインストールされない場合には、移動ステーションは、構成情報問合せを送信するように移動ステーションに指令することができる。この場合に、ユーザは、構成情報問合せをいかに発生するか知らねばならない。次いで、移動ステーションは、ネットワークからの現在構成情報及び／又は構成ルーチンの受信に応答して、構成ルーチンを実行することができる。
又、構成は、インテリジェントネットワーク側からそのサービス制御ポイントＳＣＰによりアクチベートすることもできる。この場合に、ＳＣＰは、インテリジェントネットワークサービスの変化に関連した通知を移動ステーションへ自動的に送信することができる。それとは別に又はそれに加えて、ＳＣＰは、移動ステーションＭＳに対する新たな構成ルーチンのロードを自動的にアクチベートすることができる。
移動ステーションと移動サービス交換センターとの間のメッセージは、移動ステーションと移動サービス交換センターとの間のネットワーク部分に対して透過的であるのが好ましい。換言すれば、移動ステーションと移動サービス交換センターとの間のネットワーク部分は、いずれにせよメッセージに対して反応しない。移動サービス交換センターは、メッセージを確認し、そしてそれらをインテリジェントネットワークのサービス制御ポイントへ転送する。移動サービス交換センターは、メッセージがインテリジェントネットワークサービスの識別子を含むと共に、好ましくは通常のテキストには滅多に現われない特殊なキャラクタを含むことに基づいて、メッセージが構成メッセージであることを確認することができる。それとは別に又はそれに加えて、ネットワークは、移動ステーションがインテリジェントネットワークサービスに割り当てられた電話番号へメッセージを送信することに基づいて、メッセージが構成メッセージであることを確認することができる。
移動ステーションと移動サービス交換センターとの間のメッセージは、少なくともＯＳＩモデル層１ないし４の機能のサブセットを実施する搬送プロトコルを使用することにより実施されるのが好ましい。上位層、主としてセッション及びプレゼンテーション層のプロトコルは、移動ステーションにおいて構成ルーチン及びサービス制御ポイントでサービスロジックプログラムにより実施される。
構成メッセージは、ショートメッセージ又はＵＳＳＤメッセージのようなデータメッセージであるのが最も便利である。例えば、ＧＳＭシステムでは、ショートメッセージの最大長さは１６０キャラクタであるが、それより長い構成メッセージは、多数のショートメッセージに分割することができる。
【図面の簡単な説明】
以下、添付図面を参照し、本発明の好ましい実施形態を詳細に説明する。
図１は、移動通信システム及びインテリジェントネットワークの組合せを示す図である。
図２は、本発明の第１の実施形態によるインテリジェントネットワークサービスの構成メッセージを示す図である。
図３は、移動ステーションのユーザインターフェイスを経てのインテリジェントネットワークサービスの構成を示す図である。
図４及び５は、本発明を説明する信号図である。
好ましい実施形態の詳細な説明
図１は、ＧＳＭ型の移動通信システムとインテリジェントネットワークの組合せを示す。移動ステーションＭＳは、ベースステーションサブシステムＢＳＳを経て、ネットワークサブシステムＮＳＳに属する移動サービス交換センターＭＳＣと通信する。移動通信システムの機能は、インテリジェントネットワークにより拡張される。インテリジェントネットワークのオペレーションは、サービス制御ポイントＳＣＰにより制御される。対応的に、サービス交換ポイントＳＳＰは、移動サービス交換センターＭＳＣに関連される。矢印１ないし３は、構成問合せ及び構成メッセージを示す。
サービス制御機能ＳＣＦは、通常、サービスに関連した全てのサービスロジック及び制御を含む。サービス制御機能は、種々のやり方で内部的に実施できる論理機能に過ぎない。これは、内部的に分散することができ、そしてそれに関連したサービスロジックは、異なるノードにわたって分配することができる。サービス情報も、サービスロジックに関連したものとは異なるノードにわたって分配することができる。サービス管理機能ＳＭＦは、サービスの管理、供給及び導入の役割を果たす。サービス管理アクセス機能ＳＭＡＦは、ＳＭＦにより供給される機能にユーザインターフェイスを与える。これらの機能には、インテリジェントネットワークＩＮ又はＩＮプラットホームと称する機能が関連される。これらの機能は、１つ以上のノードに配置される。又、これらの機能は、異なるやり方で分散されてもよく、例えば、サービス制御機能がサービスマネージメント機能のタスクを実行してもよい。
図２は、インテリジェントネットワークサービスの一例として到達可能型サービスが提供されるときのインテリジェントネットワークサービスの構成メッセージを詳細に示している。このサービスの契約に関連して、移動ステーションＭＳにはルーチン即ちスクリプトがロードされる。ルーチンの実行は、ユーザインターフェイスの対応する実行を表わす。この例では、到達可能型プロファイルの構成は、ユーザが移動ステーションＭＳを経て構成情報問合せ１をネットワークへ送信し、そしてネットワークがその問合せを確認するようにして開始する。メッセージ１は、技術的には、ショートメッセージ又はＵＳＳＤとして実施することができる。ネットワーク、好ましくは、移動サービス交換センターは、主としてメッセージに含まれた特殊なキャラクタに基づいてメッセージを確認する。或いは又、メッセージは、それが所与のサービス番号へ送信されるように構成メッセージとして確認されてもよい。この例では、特殊なキャラクタがサービス識別子２１、ここでは、到達可能型プロファイルＲＰであり、その後に、通常のテキストには滅多に現われない特殊なキャラクタ２２が続く。この場合、特殊なキャラクタ２２は、２つのコロン（：：）である。従って、到達可能型サービスの構成メッセージは、キャラクタ組合せＲＰ：：によって確認される。
移動サービス交換センターＭＳＣは、メッセージ１をインテリジェントネットワークのサービス制御ポイントＳＣＰへ転送する。サービス制御ポイントは、メッセージ１を分析し、そして移動ステーションのユーザが自分の到達可能型プロファイルを変更しようとしていることを検出する。サービス制御ポイントＳＣＰは、現在の構成情報を含むメッセージ２を移動ステーションＭＳに送信し、移動ステーションはこのメッセージを確認する。移動ステーションは、サービスの供給に関連してそこにインストールされた構成ルーチンをアクチベートする。ルーチンを実行する結果として、インテリジェントネットワークサービスを構成するように意図されたユーザインターフェイス拡張が移動ステーションのディスプレイに表示される。
一般に、メッセージ２は、インテリジェントネットワークサービスの現在状態情報を含むのが効果的である。この例では、メッセージ２は、到達可能型プロファイルの現在状態を含む。到達可能型プロファイルは、日付コード（労働日又は休日）、開始時間及び終了時間を含む１組の記録を含むように定義されると仮定する。各記録は、所与の電話番号と、その所与の電話番号に対するコール設定試みの巾を示す時間とを含む任意の数のサブ記録を含む。到達可能型プロファイルは、次のような記録を含むように定義することができる。
デフォールト：８秒間家庭用番号／８秒間移動ステーション／音声メール
労働日０８００−１７００：５秒間オフィス／５秒間移動ステーション／５秒間秘書／音声メール
…
従って、デフォールトは、コールが先ず８秒間家庭用の番号へ試みられ、次いで、８秒間移動ステーションへ試みられ、そしてこれも失敗に終わった場合に、コールが音声メールサービスに接続されるというものである。午前８時から午後５時までのオフィス時間中には、コールが先ずオフィスの電話へ５秒間試みられ、次いで、移動ステーションへ５秒間試みられ、その後、秘書へ５秒間試みられ、そして最終的に音声メールサービスへ試みられる。図２においては、第１の記録が２３で示され、そして第２の記録が２５で示されている。ユーザインターフェイスの構成ルーチンは、ユーザが現在構成情報、即ち到達可能型プロファイルの現在状態を見て編集できるようにする。移動ステーションのユーザが、労働日に、ユーザがおそらく仕事場へ向かう途中である午前７時から午前８時までの間に、コールが移動ステーションへ８秒間試みられ、次いで、音声メールサービスへ試みられるような新たな定義を追加すると仮定する。技術的には、これは、ユーザが新たな記録２４を記録２３と２５との間に挿入するように行なわれ、新たな記録の内容は、労働日０７００−０８００：８秒間移動ステーション／音声メールである。
無線リソースを節約するために、構成メッセージ３は、変更された記録、この場合は、記録２４のみを含むことができる。
移動ステーションへ送信されるべきメッセージ２がインテリジェントネットワークサービスの現在状態情報を含まない場合には、ユーザインターフェイスの構成ルーチンがそのサービスの現在状態情報を移動ステーションのメモリに記憶しなければならない。これが行えない場合には、ユーザは、サービスの構成をそのたびに最初からスタートしなければならず、これは当然労力を要する。
図２及び３は、移動ステーションの拡張されたユーザインターフェイスを経てインテリジェントネットワークサービスの構成がいかに行なわれるかを示す。図３において、使用する電話番号は、家庭用１１１１１１、移動ステーション２２２２２２、音声メールサービス３３３３３３、オフィス４４４４４４及び秘書５５５５５５であると仮定する。
メッセージ２を受信したときに、移動ステーションＭＳは、メッセージからインテリジェントネットワークサービスの識別子２１及び／又は特殊なキャラクタ２２を確認する。識別子２１により、移動ステーションは、サービスの識別子２１及び特殊なキャラクタ２２を除くメッセージ２の内容をサービスの構成ルーチンＲＰへ送信する。この構成ルーチンは、移動ステーションの表示に適するようにサービスの現在状態情報をフォーマットする。この場合に、これは、例えば、状態情報を、巾が移動ステーションの表示の巾に対応するような長いテキストストリング３０へとフォーマットするように行なわれる。典型的な移動ステーションは、矢印キー３４を含み、これにより、ユーザは、編集されるべきテキストが表示されるポイントまでテキストストリングを通してブラウズすることができる。更に、移動ステーションは、通常、プログラム可能なファンクションキー３２及び３３を含み、これらキーの機能はキーの上に表示される。この例では、キー３２は、新たな行を挿入し、そしてキー３３は、情報の編集を終了する。カーソルが記録２５の開始に対応するポイントにくるまでユーザがテキストストリング３０を通してブラウズしたと仮定する。ユーザは、キー３２を用いて新たな記録を挿入し、そして移動ステーションのアルファニューメリックキーパッド３５を用いて記録に対応するテキストを書きこむ。修正キー３６でキャラクターを削除することができる。挿入された記録２４に対応するテキストは、テキストストリング３０の中央３１において見ることができる。ユーザは、キー３３を用いて編集を完了する。次いで、移動ステーションは、ユーザがその変更を受け入れようとするか拒絶しようとするかをチェックすることができる。ユーザがその変更を受け入れる場合には、構成ルーチンは、移動サービス交換センターＭＳＣを経てサービス制御ポイントＳＣＰへ第３の構成メッセージ３を送信するように移動ステーションに指令し、この構成メッセージは、識別子２１及び２２に加えて、インテリジェントネットワークサービスの変更された構成情報を含む。従って、移動ステーションの簡単なユーザインターフェイスで比較的複雑なサービスを構成することができる。
上記例では、ユーザインターフェイスの構成ルーチンが移動ステーションＭＳのメモリにインストールされたと仮定した。典型的なデジタル移動ステーションは、移動装置及び加入者識別ユニット、例えば、ＳＩＭカード（加入者識別モジュール）で構成されることが知られている。これら２つのユニットのどちらにルーチンが記憶されるかは本発明にとって関係ない。ユーザにとっては、ルーチンがＳＩＭカードに記憶される方が便利である。というのは、ユーザは、ＳＩＭカードをある移動装置から別の移動ステーションへと切り換えることができるからである。インテリジェントネットワークサービスの移動装置を構成する前にユーザインターフェイスの構成ルーチンが移動ステーションＭＳのメモリにインストールされる場合には、第２及びその後の構成事象において構成メッセージ３しか送信できない。
別の実施形態では、インテリジェントネットワークサービスの構成ルーチンがダウン方向のメッセージ２に関連して無線経路を経て移動ステーションにロードされることが考えられる。移動ステーションにルーチンをロードすることは、サービス識別子２１及び好ましくは特殊なキャラクタ２２を指示するメッセージ１を移動ステーションのユーザが送信するようにしてアクチベートすることができる。或いは又、ルーチンをロードすることは、当該サービスがユーザに対してインストールされたことを指示する僅かなユーザインターフェイス拡張のみを移動ステーションのメモリが含むようにしてアクチベートされてもよい。ユーザが当該サービスを構成したいときには、ユーザインターフェイス拡張がメッセージ１を送信するように移動ステーションに指令し、そしてそれに応答して、サービス制御ポイントがメッセージ２を送信する。このメッセージ２は、サービスの現在構成情報２３、２５に加えて、情報を変更するに必要なルーチン、即ち図３を参照して動作を説明したルーチンを含む。妥協策としては、最後に使用したルーチンの幾つかを移動ステーションのメモリに記憶することであり、この場合、滅多に使用されないルーチンを無線経路を経てロードしなければならない。この場合に、メッセージ１は、現在構成情報２３、２５と共にメッセージ２をロードすることが必要か、又は情報を編集するように意図されたルーチンをロードすることが必要かの指示を含む。
図４は、本発明を説明するための信号図である。図４は、次のような信号層を示している。移動ステーションのユーザインターフェイスは、これを通してユーザが移動ステーションと通信する層である。ＭＥＸＥは、移動ステーションのＭＥＸＥ型拡張層である。ユーザインターフェイス及びＭＥＸＥ以外の移動ステーションの部分は、移動ステーションの基本的な機能を与える。この例では、ＭＥＸＥは、移動ステーションの基本的な機能のみを経て外界（移動ステーションのユーザインターフェイス及び無線ネットワーク）と通信するものと仮定する。
この例では、事象が４つの主たるステップ４−１、…４−４に分割され、各ステップはサブステップａ…ｅを含む。ステップ４−１ａでは、インテリジェントネットワークサービスの構成へと移行させるために、ユーザが移動ステーションのユーザインターフェイスを経てコマンドを与える。このコマンドは、例えば、移動ステーションのメニュー構造により与えることができる。ステップ４−１ｂでは、移動ステーションの基本的な機能がＭＭＩ  ＡＰＩ励起（ＭＭＩ＝人間−機械インターフェイス、ＡＰＩ＝アプリケーションプログラミングインターフェイス）をＭＥＸＥ層に与える。次いで、ＭＥＸＥは、インテリジェントネットワークが状態情報について問合せされるべきかどうか推測する。この問合せは、ユーザインターフェイスを拡張する構成ルーチンが移動ステーションにロードされない場合及び／又はサービスの現在状態情報がインテリジェントネットワークから検索されることが望まれる場合に必要となる。状態情報が形成される場合に、ＭＥＸＥは、ステップ４−１ｃにおいてＭＭＩ  ＡＰＩコールを与え、その結果、ステップ４−１ｄにおいて、問合せがパックされそしてＵＳＳＤ  ＡＰＩインターフェイスを経て移動サービス交換センターＭＳＣへ送信される。移動サービス交換センターは、図１及び２について述べたようにメッセージを確認し、そしてステップ４−１ｄにおいてサービス制御ポイントへメッセージを転送する。ステップ２−２ａ、…４−２ｃにおいて、ＳＣＰ及びＭＳＣは、現在状態情報をＭＥＸＥ層へ返送する。ステップ４−２ｄにおいて、ＭＥＸＥ層は、ＭＭＩ  ＡＰＩコールを送信し、その結果、移動ステーションの従来のユーザインターフェイスは、本発明によるインテリジェントネットワークサービスの構成ルーチンによって拡張される。ステップ４−１ｃ、…４−２ｃにおいてインテリジェントネットワークから状態情報が検索された場合、又は移動ステーションのメモリに状態情報が記憶された場合には、現在状態情報が機械指向の表示から人間指向の表示へと変換され、そして本発明により移動ステーションユーザインターフェイスを経てユーザへ表示される（図３参照）。ステップ４−３ａでは、ユーザが構成情報の編集を完了し、そして構成ルーチンは、構成情報を人間指向の表示から機械指向の表示へ変換する。それに続くステップは、既に述べたステップに技術的に対応するが、この場合には、移動ステーションが構成情報問合せ及び／又は構成ルーチン問合せを送信せず、変更された構成情報を送信する。インテリジェントネットワークは、構成情報の変更状態を指示する確認を送信する。ステップ４−４及びそのサブステップは、その性質が確認であり、それ故、本発明にとって重要ではない。
図４の実施形態は、ステップ４−１ａにおける構成への移行が、ユーザにより行なわれる測定を必ずしも必要とせず、例えば、位置更新に関連してサービスの供給が変化したことが検出された後に、移動ステーションにロードされた拡張により構成の変更がアクチベートされるように、変更することができる。
図５は、インテリジェントネットワークのサービス制御ポイントＳＣＰにおいて事象がアクチベートされることを示す。メッセージ５−１ａ、…５−１ｅは、技術的にメッセージ４−２ａ、…４−２ｅに対応する。例えば、オペレータは、試みとして新たなサービスを自発的に送信し、そして加入者がそのサービスを永久的に使用に供するよう決定しない場合に後でそのサービスをおそらく削除することにより、この実施形態を利用することができる。
本発明は、インテリジェントネットワークサービスを構成する容易で且つ融通性のあるやり方をユーザ及びオペレータに提供する。構成情報が移動ステーションにおいて完全に編集されそして編集後にサービス制御ポイントへ送信されるので、無線リソースの使用は最小にされる。本発明に必須なことは、移動ステーションが拡張可能なユーザインターフェイスを含むことである。拡張層ＥＸＥの技術的な実施は、新たな機械言語プログラムモジュールを移動ステーションにロードできるようにオペレーティングシステムを拡張することである。ＭＥＸＥは、解釈されるべき言語のインタープリター、例えば、ＪＡＶＡスクリプトインタープリターを含んでもよい。他の観点において、本発明は、既知の装置に対する変更を必要としない。移動サービス交換センターのソフトウェアは、移動サービス交換センターがインテリジェントネットワークサービスの構成メッセージを他のショートメッセージ又はＵＳＳＤメッセージから分離し、そしてその構成メッセージを上記のようにサービス制御ポイントへ送信できるように改善されねばならない。サービス制御ポイントＳＣＰは、ＥＴＳＩ  ＣＡＭＥＬプロトコル（移動ネットワーク改善ロジック用のカスタマイズされたアプリケーション）に従うのが好ましい。ショートメッセージ、ＵＳＳＤ又はパケットデータメッセージ、例えば、Ｘ．２５は、ＭＥＸＥとＳＣＰとの間に使用されるのが好ましい。ＩＰアドレス又はＸ．２５アドレスは、ＳＣＰを個別化するのに使用することができる。ワイヤレス搬送プロトコル（ＷＴＰ）は、他のプロトコルにおいて高レベルプロトコルとして使用することができる。ＯＳＩ（オープンシステムインターコネクション）ＲＯＳＥサービスエレメント等は、セッションプロトコルにおいてリモート手順コールをサポートするのに使用できる。ＳＣＰソフトウェアは、図１ないし４を参照して述べたように、ＳＣＰが移動ステーションと通信できるように、改善されねばならない。
本発明は、ＧＳＭ型の移動通信システムに関連して一例として説明した。しかしながら、移動通信システムは、本発明のサービスの形成において僅かな部分しか演じない。移動通信システムのネットワーク要素（上記の移動サービス交換センターＭＳＣのような）は、構成メッセージを確認し、そしてそのメッセージの少なくとも本質的な部分をサービス制御ポイント（ＳＣＰ）へ送信する。この機能は、例えば、ベースステーション又はベースステーションコントローラにおいて実施することもできる。パケット交換ＧＰＲＳネットワーク又はパケット交換ＧＰＲＳサービスが含まれるときには、それに対応する機能を、例えば、ＳＧＳＮ又はＧＧＳＮにおいて実施することができる。
対応的に、インテリジェントネットワーク側でサービス制御ポイントＳＣＰにおいてサービスを実施することは、潜在的な例に過ぎない。又、インテリジェントネットワークサービスは、１つのノードから実行されるが、それが第２のノードから構成されそしてその情報（サービス情報）が第３のノードに記憶されることも考えられる。インテリジェントネットワークサービス情報は、サービスマネージメントポイントＳＭＰと称するノードからアクセスすることができ、このノードは、加入者へサービスを提供しそしてサービスを紹介するサービスマネージメントの役割を果たす。ＳＭＰは、サービスデータベースの一次コピーを含むことができる。又、サービス情報は、サービスマネージメントアクセスポイントＳＭＡＰと称するノードに維持することもでき、このノードは、例えば、ネットワークオペレータにサービス情報マネージメントのユーザインターフェイスを与える。良く知られたように、ノードＳＭＰ及びＳＭＡＰの最後の文字「Ｐ」は、所与の機能を実行するポイント又はノードを意味する。従って、対応する機能が参照される場合には、最後の文字が機能に対して「Ｆ」となる。サービス制御ポイントＳＣＰに対してインテリジェントネットワークサービスを構成するマネージメントノードをインターフェイスすることは、オープンインターフェイス、即ちオープンサービス推奨アーキテクチャーに基づいて行なわれるのが好ましい。更に、合意したサービス特有のアプリケーションプロトコルが移動ステーションの構成ルーチンと、インテリジェントネットワークサービスを構成するマネージメントアプリケーションとの間に使用されるのが好ましい。このアプリケーションプロトコルは、標準的な搬送プロトコル又はセッションプロトコルに使用することができる。構成ルーチンは、例えば、ＭＭＩ（人間−機械インターフェイス）ＡＰＩ（アプリケーションプログラミングインターフェイス）を使用することにより情報を収集し、構成メッセージを発生し、そしてデータメッセージ送信に適したＡＰＩによりメッセージを送信することができる。このようなルーチンは、例えば、ＪＡＶＡ言語によって実施することができる。
技術の進歩に伴い、本発明の基本的な考え方が多数のやり方で実施できることが当業者に明らかであろう。それ故、本発明及びその実施形態は、上記例に限定されるものではなく、請求の範囲内で種々の変更がなされ得る。
【図１】
0004279904.tif 000002
【図２】
0004279904.tif 000003
【図３】
0004279904.tif 000004
【図４】
0004279904.tif 000005
【図５】
0004279904.tif 000006